(57)【要約】      （修正有）【課題】素早い組立と取り外しが可能な広告幕の組み立て留め具の構造を提供する。【解決手段】第一フレーム１と、第二フレーム２と、少なくとも一つの固定部品３とからなる。第一フレームと第二フレームは嵌合するとともに、ガイドスペースと挟み込みスペースとを形成する。固定部品は、ガイドスペースに設けられるとともに、相互に連結された第一連接部品と第二連接部品とからなる。第二連接部品の一端には、外側へ二股に分かれて延びた圧迫部３２２が設けられる。圧迫部の両端がそれぞれガイドスペースの側壁を圧迫して拡張することにより、第一フレームと第二フレームを素早く取り外したり、組み立てたりすることができる。また、挟み込みスペースを縮小することにより、所定の物品の縁（例えば、広告布幕の縁）が外れないように強固に挟み込むことができる。【選択図】図４
0003183831.tif 000002
【実用新案登録請求の範囲】
【請求項１】
第一フレームと、第二フレームと、少なくとも一つの固定部品とからなる素早い組立と取り外しが可能な広告幕の組み立て留め具の構造であって、
前記第一フレームと前記第二フレームは相互に連接し、
前記第一フレームは、その一側面に結合溝が設けられるとともに、前記第一フレームにおける前記結合溝の一側に第一ガイド部が設けられ、前記第一フレームにおける前記結合溝の他側に第一凹溝部が設けられ、
前記第二フレームは、その一側面に結合部が設けられて前記第一フレームの前記結合溝と嵌合するとともに、前記第二フレームにおける前記結合部の一側に第二ガイド部が設けられ、前記第二フレームにおける前記結合部の他側に第二凹溝部が設けられ、
前記第二ガイド部と前記第一ガイド部は、ガイドスペースを形成し、
前記第二凹溝部と前記第一凹溝部は、挟み込みスペースを形成し、
前記固定部品は、前記第一フレームと前記第二フレームとが形成した前記ガイドスペースに結合されるとともに、第一連接部品と、第二連接部品とからなり、
前記第一連接部品は、その一端に第一連接部が設けられ、他端にレバー部が設けられ、前記第一連接部と前記レバー部の間に少なくとも一つのコの字型弾力部品が設けられ、
前記第二連接部品の一端には、第二連接部が設けられ、他端には圧迫部が設けられ、
前記第二連接部は、前記第一連接部品の第一連接部と相互に連結され、
前記圧迫部は、前記第二連接部品から外側へ二股に分かれて横向きに延びるとともに、両端にそれぞれ設けられた弾力体が前記第一ガイド部と前記第二ガイド部の側壁を圧迫することを特徴とする、素早い組立と取り外しが可能な広告幕の組み立て留め具の構造。
【請求項２】
前記結合溝の開口部に設けられた少なくとも一つの第一係止フックと、前記結合部に設けられた少なくとも一つの第二係止フックが、相互に係止されることを特徴とする、請求項１に記載の素早い組立と取り外しが可能な広告幕の組み立て留め具の構造。
【請求項３】
前記第一フレームには、結合溝が設けられた側面のもう一方の側面に、少なくとも一つの連接溝が設けられることを特徴とする、請求項１に記載の素早い組立と取り外しが可能な広告幕の組み立て留め具の構造。
【請求項４】
前記第二連接部品と前記圧迫部は、Ｔ字型を呈することを特徴とする、請求項１に記載の素早い組立と取り外しが可能な広告幕の組み立て留め具の構造。
【請求項５】
前記レバー部は、前記ガイドスペースに向いた表面に斜面が設けられることを特徴とする、請求項１に記載の素早い組立と取り外しが可能な広告幕の組み立て留め具の構造。
【請求項６】
前記圧迫部には、前記ガイドスペースから相対的に離れた方の表面に、少なくとも一つの凸状部が凸設されることを特徴とする、請求項１に記載の素早い組立と取り外しが可能な広告幕の組み立て留め具の構造。
【請求項７】
前記第一連接部品には、前記第一連接部と前記レバー部の間に少なくとも一つの嵌合溝が設けられ、前記嵌合溝に前記コの字型弾力部品が取り付けられることを特徴とする、請求項１に記載の素早い組立と取り外しが可能な広告幕の組み立て留め具の構造。
【請求項８】
前記挟み込みスペースには、所定の物品を挟み込むことを特徴とする、請求項１に記載の素早い組立と取り外しが可能な広告幕の組み立て留め具の構造。
【考案の詳細な説明】
【技術分野】
【０００１】
本考案は、素早い組立と取り外しが可能な広告幕の組み立て留め具の構造に関し、特に、第一フレームと第二フレームが相互に嵌合するとともにガイドスペースと挟み込みスペースとを形成し、固定部品に設けられた圧迫部の両端がそれぞれ前記ガイドスペースの側壁を圧迫することにより、前記第一フレームと前記第二フレームが拡張して強固な結合能力を有することができる、素早い組立と取り外しが可能な広告幕の組み立て留め具の構造に関する。
【背景技術】
【０００２】
中・大型の広告布幕は、圧倒される大きさ、遠くからでも目印として目を引くといった効果以外に、広告性を持つことは言うまでもなく、特に運動場や、展覧会場、ビル、巨大建築物の外壁に設置される場合、企業や財団が最も好む広告媒体であることに加えて、消費者の注目の的でもある。すなわち、中・大型の広告布幕は、現在の広告媒体の中でも抜きん出た存在であり、広告業者が商機を狙って重点的に開発をしている。しかし、従来の広告布幕（図１を参照）の設置方法は、主に複数の支柱Ａによって必要な広告形態の骨格を組み立てるというものである。また、一つ一つの支柱Ａは、それぞれ支柱の溝（あるいは、支柱の隙間）Ｂを有し、広告布幕Ｃの辺縁に設けられた留め穴Ｃ２を対応する支柱Ａの支柱の溝（あるいは、支柱の隙間）Ｂにそれぞれ留め紐Ｃ１で結ぶことによって、広告布幕Ｃを引っ張り、平らな状態で支柱Ａ全体に固定する。
【０００３】
上述の中・大型の広告布幕がしばしば直面する問題点は、広告布幕Ｃを支柱Ａの支柱の溝（あるいは支柱の隙間）Ｂにそれぞれ留め紐Ｃ１で結ぶことによって、広告布幕Ｃ全体を引っ張って広げ、固定しなければならないことである。この設置作業には、手間と時間がかかるだけでなく、特に留め紐Ｃ１の結び方が、布幔Ｃと留め紐Ｃ１の間に耐久力があるか、緩まないかという課題に関わる。しかし、広告布幕Ｃが異なる方向から風力を受けた時、広告布幕Ｃ全体の受ける空気抵抗が相当に高くなることに加えて、布幔Ｃが振動したり揺れ動いたりすることで生まれた瞬間的な反作用応力により、留め紐Ｃ１と布幔Ｃの辺縁にある留め穴が瞬間的に高い空気抵抗を受けることになる。この瞬間的な高破壊力を持つ張力（応力）によって、しばしば、留め紐Ｃ１が裂けたり、あるいは布幔Ｃの辺縁にある留め穴Ｃ２が壊れたりする。これらの問題は、留め紐Ｃ１の結び方によってのみ解決できるものではない。しかし、後々の補修で必要になる高所作業が困難になることが避けられず、高い危険度や高コスト負担といった事態を招く。
【０００４】
以上に加えて、使用後には、広告布幕Ｃが強い空気抵抗による破壊張力に耐えるのが困難になり、広告布幕Ｃの表面が受けた空気抵抗が支柱Ａ全体に直接伝わってしまうことにより、瞬間的な破壊張力によって支柱Ａの歪曲や変形といった深刻な破損を招いたり、中・大型の広告布幕の鉄骨構造全体が傾倒したりといった危険な事態が発生する。
【考案の概要】
【考案が解決しようとする課題】
【０００５】
そこで、本考案は、所定の物品を強固に挟み込むことができるとともに、素早い組立と取り外しが可能な広告幕の組み立て留め具の構造を提供することを目的とする。
【課題を解決するための手段】
【０００６】
上述の目的を達成するため、本考案の素早い組立と取り外しが可能な広告幕の組み立て留め具の構造は、第一フレームと、第二フレームと、少なくとも一つの固定部品と、からなる。前記第一フレームには、結合溝が設けられるとともに、前記結合溝の一側面に第一ガイド部が設けられ、他方の側面に第一凹溝部が設けられる。前記第二フレームには、結合部が設けられるとともに、前記結合部の一側面に第二ガイド部が設けられ、他方の側面に第二凹溝部が設けられる。以上により、前記第二フレームの前記結合部と前記第一フレームの前記結合溝が嵌合する。前記第二ガイド部と前記第一ガイド部は、ガイドスペースを形成する。また、前記第二凹溝部と前記第一凹溝部は、挟み込みスペースを形成する。前記固定部品は、前記第一フレームと前記第二フレームが形成した前記ガイドスペースに設けられる。前記固定部品は、相互に軸接された第一連接部品と第二連接部品とからなるとともに、折り曲げ構造を備える。前記第二連接部品の一端には、外側へ二股に分かれて横向き  （水平）に延びた圧迫部が設けられる。前記圧迫部と前記第二連接部品はＴ字型を呈する。
【図面の簡単な説明】
【０００７】
【図１】従来の広告支柱の使用概略図である。
【図２】本考案の広告幕の組み立て留め具の構造の分解図である。
【図３】本考案の広告幕の組み立て留め具の構造を一側面から見た際の組み立て断面図である。
【図４】本考案の広告幕の組み立て留め具の構造を他側面から見た際の組み立て断面図である。
【図５】本考案の広告幕の組み立て留め具の構造の固定部品の分解図である。
【図６】本考案の広告幕の組み立て留め具の構造の実施例１の概略図である。
【図７】本考案の広告幕の組み立て留め具の構造の実施例２の概略図である。
【図８】本考案の広告幕の組み立て留め具の構造の実施例３の概略図である。
【考案を実施するための形態】
【０００８】
図２、図３、図４、図５を参照する。本考案の素早い組立と取り外しが可能な広告幕の組み立て留め具の構造は、第一フレーム１と、第二フレーム２と、少なくとも一つの固定部品３とからなる。
【０００９】
第一フレーム１の一側面には、結合溝１１が設けられる。結合溝１１の開口部には少なくとも一つの第一係止フック１１１が設けられる。第一フレーム１は、結合溝１１の一側面に第一ガイド部１２が設けられ、結合溝１１のもう一方の側面に第一凹溝部１３が設けられる。また、第一フレーム１のもう一方の側面には、少なくとも一つの連接溝１４が設けられる。
【００１０】
第二フレーム２と第一フレーム１は互いに接続される。第二フレーム２の一側面に設けられた結合部２１が、第一フレーム１の結合溝１１と対応して嵌合する。結合部２１には、少なくとも一つの第二係止フック２１１が設けられる。第二係止フック２１１は、第一係止フック１１１と相互に係止される。第二フレーム２は、結合部２１の一側面に第二ガイド部２２が設けられ、結合部２１のもう一方の側面に第二凹溝部２３が設けられる。前述した第二フレーム２の第二ガイド部２２と第一フレーム１の第一ガイド部１２は、組み合わされた状態を呈するとともに、ガイドスペース１０を形成する。また、第二フレーム２の第二凹溝部２３と第一フレーム１の第一凹溝部１３は、組み合わされた状態を呈するとともに、挟み込みスペース２０を形成する。
【００１１】
固定部品３は、第一フレーム１と第二フレーム２とが形成したガイドスペース１０に嵌めこまれるとともに、第一連接部品３１と、第二連接部品３２とからなる。第一連接部品３１は、その一端に第一連接部３１２が設けられ、他方の一端にレバー部３１３が設けられ、第一連接部３１２とレバー部３１３の間に少なくとも一つの嵌合溝３１１が設けられる。これにより、嵌合溝３１１にコの字型弾力部品３３を嵌め込んで固定することができる。また、レバー部３１３におけるガイドスペース１０に向いた側の表面部分は、斜面３１３１の形態を呈する。第二連接部品３２は、その一端に第二連接部３２１が設けられ、他端に圧迫部３２２が設けられる。圧迫部３２２は、第二連接部品３２における第二連接部３２１から離れた方の一端が外側へ横向き（水平）に二股に延伸して形成するとともに、第二連接部品３２とＴ字型の構造を呈する。また、圧迫部３２２の両端の面には、それぞれ弾力体３４が設けられる。第二連接部品３２の圧迫部３２２には、少なくとも一つの凸状部３２３が凸設される。凸状部３２３は、ガイドスペース１０から相対的に離れた方の表面に設けられる。
【００１２】
前述した固定部品３の第一連接部品３１と第二連接部品３２は相互に軸接される。本考案の実施例では、第一連接部品３１の第一連接部３１２は、割溝であるとともに、第一軸穴３１２１を備える。また、第二連接部品３２の第二連接部３２１は、第二軸穴３２１１を備える。第二軸穴３２１１と第一軸穴３１２１は、相互に対応するとともに、軸棒３５が穿設される。以上の構造によって、固定部品３の第一連接部品３１と第二連接部品３２が軸接されるとともに、折り曲げ構造を備えさせることができる。
【００１３】
（実施例１、実施例２）
図６、図７を参照する。第一フレーム１の結合溝１１は、第二フレーム２の結合部２１と嵌合する。結合溝１１と結合部２１を嵌合する時には、結合溝１１の第一係止フック１１１と結合部２１の第二係止フック２１１が互いに係止されるので、結合部２１が結合溝１１から外れることなく、第一フレーム１と第二フレーム２が強固に嵌合する。
【００１４】
この他、固定部品３は、第一フレーム１と第二フレーム２とが形成したガイドスペース１０に嵌められる。固定部品３における第二連接部品３２の圧迫部３２２は、ガイドスペース１０に設けられ、その両端の弾力体３４が圧迫されて弾力的に変形することにより、それぞれ第一フレーム１と第二フレーム２とが形成したガイドスペース１０の側壁を圧迫する。以上の構造により、第一フレーム１と第二フレーム２は、ガイドスペース１０が圧迫されることにより拡張し、結合部２１と結合溝１１とが緊密に嵌合する（図４、及び図６を参照）。これにより、第一フレーム１と第二フレーム２が強固に嵌合する。この時、固定部品３の第一連接部品３１は、ガイドスペース１０に折れ曲げ可能に設けられ、また、コの字型弾力部品３３がストッパーの構造を成すことにより、第一連接部品３１がガイドスペース１０から外れてしまうことがなくなる（図７を参照）。
【００１５】
第一フレーム１と第二フレーム２とが形成したガイドスペース１０が圧迫されて拡張した時、第一フレーム１と第二フレーム２の挟み込みスペース２０が相対的に収縮する。この構造によって、第一フレーム１と第二フレーム２は、挟み込みスペース２０に直接所定の物品４（例えば、広告布幕）を強固に挟み込むことができる（図４を参照）。
【００１６】
第一フレーム１と第二フレーム２とを取り外す時には、固定部品３の第一連接部品３１のレバー部３１３を引き起こして第一連接部品３１をガイドスペース１０から外すことで、第二連接部品３２の圧迫部３２２がガイドスペース１０の側壁を圧迫しなくなり、第二連接部品３２がガイドスペース１０から外れて、結合部２１と結合溝１１が取り外される。以上により、第一フレーム１と第二フレーム２とを素早く取り外すことができる構造を実現することができる。
【００１７】
前述した固定部品３は、第二連接部品３２の圧迫部３２２がガイドスペース１０に設けられた時、凸状部３２３に阻止されて一方向にしか折り曲がらないので、取り付け間違いやケアレスミスを防ぐことができる。また、レバー部３１３の斜面３１３１がガイドスペース１０の表面から離れているので、使用者は簡単にレバー部３１３を起こしたり倒したりといった動作を行うことができる（図７を参照）。
【００１８】
（実施例３）
図８を参照する。本考案は、第一フレーム１に設けられた連接溝１４によって、外部にある所定の連接装置（あるいは、壁面連接装置）と連接することができる。第一フレーム１と第二フレーム２とに採用する一節の長さとその連接形態を決められることに加え、第一フレーム１を一つ或いは複数の別の第一フレーム１と連接することができる。本考案の実施例３においては、第一フレーム１を連接して矩形の枠に組み立てている。
【符号の説明】
【００１９】
１                   第一フレーム
１１          結合溝
１１１        第一係止フック
１２          第一ガイド部
１３          第一凹溝部
１４          連接溝
２                   第二フレーム
２１          結合部
２１１        第二係止フック
２２          第二ガイド部
２３          第二凹溝部
３                   固定部品
３１          第一連接部品
３１１        嵌合溝
３１２        第一連接部
３１２１      第一軸穴
３１３        レバー部
３１３１      斜面
３２          第二連接部品
３２１        第二連接部
３２１１      第二軸穴
３２２        圧迫部
３２３        凸状部
３３          コの字型弾力部品
３４          弾力体
３５          軸棒
１０          ガイドスペース
２０          挟み込みスペース
４                   物品
（従来技術）
Ａ                   支柱
Ｂ                   支柱の溝
Ｃ                   広告布幕
Ｃ１          留め紐
Ｃ２          留め穴
【図１】
0003183831.tif 000003
【図２】
0003183831.tif 000004
【図３】
0003183831.tif 000005
【図４】
0003183831.tif 000006
【図５】
0003183831.tif 000007
【図６】
0003183831.tif 000008
【図７】
0003183831.tif 000009
【図８】
0003183831.tif 000010